【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
情報処理方法であって、
表示部に、
制御対象となっている装置における複数の動作の開始から終了までの第１動作時間情報と、
前記装置を実際に動作させた際における前記複数の動作の開始から終了までの第２動作時間情報と、を表示する際、
前記第１動作時間情報を第１表示形式で表示し、前記第１表示形式とは異なる第２表示形式で前記第２動作時間情報を表示する、
ことを特徴とする情報処理方法。
【請求項２】
請求項１に記載の情報処理方法において、
前記表示部に、
前記複数の動作における従属関係にある先行動作の完了から後続動作を開始するまでを示した第１動作タイミング情報を表示する際、
前記第１動作時間情報を前記第１表示形式で表示し前記第２動作時間情報を前記第２表示形式で表示した状態で、前記第１動作時間情報およびまたは前記第２動作時間情報の上に前記第１動作タイミング情報を表示する、
ことを特徴とする情報処理方法。
【請求項３】
請求項２に記載の情報処理方法において、
前記表示部に、
前記装置を実際に動作させた際における、従属関係にある前記先行動作の完了から前記後続動作を開始するまでを示した第２動作タイミング情報を表示する際、
前記第２動作時間情報の上に前記第１動作タイミング情報とは異なる表示形式で前記第２動作タイミング情報を表示する、
ことを特徴とする情報処理方法。
【請求項４】
請求項３に記載の情報処理方法において、
前記第１動作タイミング情報の表示において、前記第１動作タイミング情報における先行動作の完了と後続動作の開始を番号で表示すると共に従属関係を矢印で表示し、
前記第２動作タイミング情報の表示において、前記第２動作タイミング情報における先行動作の完了と後続動作の開始を番号で表示する、
ことを特徴とする情報処理方法。
【請求項５】
請求項１から４のいずれか１項に記載の情報処理方法において、
前記表示部に、
前記装置における動作の内の所定動作における前記第１動作時間情報と、前記所定動作における前記第２動作時間情報との差分を表示する、
ことを特徴とする情報処理方法。
【請求項６】
請求項３に記載の情報処理方法において、
前記表示部に、
前記装置における動作の内の所定の先行動作と所定の後続動作に関する前記第１動作タイミング情報と、前記所定の先行動作と前記所定の後続動作に関する前記第２動作タイミング情報との差分を表示する、
ことを特徴とする情報処理方法。
【請求項７】
請求項１から６のいずれか１項に記載の情報処理方法において、
前記表示部に、
前記第１動作時間情報と前記第２動作時間情報との差分の蓄積値を表示する、
ことを特徴とする情報処理方法。
【請求項８】
請求項６に記載の情報処理方法において、
前記表示部に、
前記第１動作タイミング情報と、前記第２動作タイミング情報との差分の蓄積値を表示する、
ことを特徴とする情報処理方法。
【請求項９】
請求項１から８のいずれか１項に記載の情報処理方法において、
前記表示部に、
前記装置における動作の内のいずれかの動作を分析対象に設定できるように表示する、
ことを特徴とする情報処理方法。
【請求項１０】
請求項１から９のいずれか１項に記載の情報処理方法において、
前記表示部に、
前記第１動作時間情報は実線のタイムチャート形式で第１タイムチャートとして表示し、
前記第２動作時間情報は点線のタイムチャート形式で第２タイムチャートとして表示する、
ことを特徴とする情報処理方法。
【請求項１１】
請求項１０に記載の情報処理方法において、
前記表示部に、
前記第１動作時間情報と前記第２動作時間情報とを比較し、
前記装置における動作における従属関係にある先行動作の完了から後続動作を開始するまでを示した第１動作タイミング情報と前記装置を実際に動作させた際における従属関係にある前記先行動作の完了から前記後続動作を開始するまでを示した第２動作タイミング情報とを比較し、
前記第１タイムチャートと前記第２タイムチャートとのずれの原因となっている動作を表示する、
ことを特徴とする情報処理方法。
【請求項１２】
請求項１１に記載の情報処理方法において、
前記表示部に、
前記第１タイムチャートにおける前記第１動作時間情報と前記第２タイムチャートにおける前記第２動作時間情報との比較によって差分が存在している場合、前記差分が存在する動作を前記ずれの原因となっている動作として表示する、
ことを特徴とする情報処理方法。
【請求項１３】
請求項１１または１２に記載の情報処理方法において、
前記表示部に、
前記第１タイムチャートにおける前記第１動作時間情報と前記第２タイムチャートにおける第２動作時間情報との比較および前記第１動作タイミング情報と前記第２動作タイミング情報との比較によって、動作時間に差分は存在しないが、動作タイミングに差分が存在する動作に関して、当該動作の先行動作を前記ずれの原因となっている動作として表示する、
ことを特徴とする情報処理方法。
【請求項１４】
請求項１０から１３のいずれか１項に記載の情報処理方法において、
前記装置を複数回動作させた際の前記第２タイムチャートに基づき、各回ごとに前記第１タイムチャートと比較した比較タイムチャートを作成し、
複数の前記比較タイムチャートに基づき、前記装置の動作の経時的な変化を前記表示部に表示する、
ことを特徴とする情報処理方法。
【請求項１５】
請求項２から４のいずれか１項に記載の情報処理方法において、
前記第１動作時間情報と、前記第１動作タイミング情報と、はユーザにより設定され格納部に格納されている、
ことを特徴とする情報処理方法。
【請求項１６】
請求項１から１５のいずれか１項に記載の情報処理方法を実行させるための制御プログラム。
【請求項１７】
請求項１６に記載の制御プログラムを記録した、コンピュータで読み取り可能な記録媒体。
【請求項１８】
表示部を備える情報処理装置であって、
前記表示部に、
制御対象となっている装置における複数の動作の開始から終了までの第１動作時間情報と、
前記装置を実際に動作させた際における前記複数の動作の開始から終了までの第２動作時間情報と、を表示する際、
前記第１動作時間情報を第１表示形式で表示し、前記第１表示形式とは異なる第２表示形式で前記第２動作時間情報を表示する、
ことを特徴とする情報処理装置。
【請求項１９】
請求項１８に記載の情報処理装置と、前記装置と、を備え、前記装置に前記情報処理装置によって出力される情報に基づき動作を行わせ、物品の製造を行う製造システム。
【請求項２０】
請求項１９に記載の製造システムを用いて物品の製造を行うことを特徴とする物品の製造方法。
【手続補正２】
【補正対象書類名】明細書
【補正対象項目名】発明の名称
【補正方法】変更
【補正の内容】
【発明の名称】情報処理方法、制御プログラム、記録媒体、情報処理装置、製造システム、および物品の製造方法
【手続補正３】
【補正対象書類名】明細書
【補正対象項目名】０００８
【補正方法】変更
【補正の内容】
【０００８】
本発明の第1の態様は、情報処理方法であって、表示部に、制御対象となっている装置における複数の動作の開始から終了までの第１動作時間情報と、前記装置を実際に動作させた際における前記複数の動作の開始から終了までの第２動作時間情報と、を表示する際、前記第１動作時間情報を第１表示形式で表示し、前記第１表示形式とは異なる第２表示形式で前記第２動作時間情報を表示する、ことを特徴とする情報処理方法である。
本発明の第２の態様は、表示部を備える情報処理装置であって、前記表示部に、制御対象となっている装置における複数の動作の開始から終了までの第１動作時間情報と、前記装置を実際に動作させた際における前記複数の動作の開始から終了までの第２動作時間情報と、を表示する際、前記第１動作時間情報を第１表示形式で表示し、前記第１表示形式とは異なる第２表示形式で前記第２動作時間情報を表示する、ことを特徴とする情報処理装置である。